(57)【要約】【課題】医療従事者が携帯する端末装置を用いた業務効率を向上することを可能とする。【解決手段】実施形態の医療支援システムは、医療従事者により携帯される端末装置と、端末装置と通信可能なサーバ装置とを備える。端末装置は、サーバ装置に対して患者に関する患者情報を要求するデータ要求手段と、要求に応じてサーバ装置から提供された患者情報を表示する表示手段とを備える。サーバ装置は、患者情報の要求があった端末装置との間の通信をもとに端末装置の位置を検出する位置検出手段と、患者ごとに、患者の位置を示す位置情報と、患者に関する患者情報とを記憶する記憶手段と、検出された端末装置の位置をもとに、記憶された位置情報を参照して端末装置の位置に対応した患者の特定を行う患者特定手段と、特定された患者の患者情報を記憶手段より読み出して端末装置に提供するデータ提供手段とを備える。【選択図】図８
2013054647.tif 000002
【特許請求の範囲】
【請求項１】
医療従事者により携帯される端末装置と、前記端末装置と通信可能なサーバ装置とを備えた医療支援システムであって、
前記端末装置は、
前記サーバ装置に対して患者に関する患者情報を要求するデータ要求手段と、
要求に応じて前記サーバ装置から提供された患者情報を表示する表示手段とを備え、
前記サーバ装置は、
前記患者情報の要求があった端末装置との間の通信をもとに当該端末装置の位置を検出する位置検出手段と、
患者ごとに、当該患者の位置を示す位置情報と、前記患者に関する患者情報とを記憶する記憶手段と、
前記検出された端末装置の位置をもとに、前記記憶された位置情報を参照して前記端末装置の位置に対応した患者の特定を行う患者特定手段と、
前記特定された患者の患者情報を前記記憶手段より読み出して前記端末装置に提供するデータ提供手段と、
を備える医療支援システム。
【請求項２】
前記端末装置と前記サーバ装置との通信を中継する、所定の位置に配置された通信装置を複数備え、
前記位置検出手段は、前記複数の通信装置の中の少なくとも一つの通信装置と前記端末装置との通信をもとに、当該端末装置の位置を検出する、
請求項１に記載の医療支援システム。
【請求項３】
前記端末装置は、位置を示す位置情報が記録された記録媒体を読み取る読取手段を更に備え、
前記データ要求手段は、前記患者情報を要求する際に、前記読み取られた位置情報を前記サーバ装置へ通知し、
前記位置検出手段は、前記通知された位置情報をもとに、前記端末装置の位置を検出する、
請求項１に記載の医療支援システム。
【請求項４】
前記端末装置は、
要求に応じて前記サーバ装置から提供された患者情報へのデータ入力を受け付けるデータ入力手段と、
前記データ入力された患者情報を前記サーバ装置へ送信する送信手段とを備え、
前記サーバ装置は、前記送信された患者情報を前記特定された患者の患者情報へ記録する記録手段を備える、
請求項１乃至３のいずれか一項に記載の医療支援システム。
【請求項５】
前記データ入力手段は、タッチパネルの操作入力及びマイクの音声入力の少なくとも一方で前記患者情報へのデータ入力を受け付ける、
請求項４に記載の医療支援システム。
【請求項６】
医療従事者により携帯される端末装置との間の通信をもとに当該端末装置の位置を検出する位置検出手段と、
患者ごとに、当該患者の位置を示す位置情報と、前記患者に関する患者情報とを記憶する記憶手段と、
前記検出された端末装置の位置をもとに、前記記憶された位置情報を参照して前記端末装置の位置に対応した患者の特定を行う患者特定手段と、
前記特定された患者の患者情報を前記記憶手段より読み出して前記端末装置に提供するデータ提供手段と、
を備えるサーバ装置。
【発明の詳細な説明】
【技術分野】
【０００１】
本発明の実施形態は、医療支援システム及びサーバ装置に関する。
【背景技術】
【０００２】
従来、病院では医療・看護行為を効率的に進めるために、ＰＤＡ（Personal  Digital  Assistant）等の携帯情報端末を利用することにより、患者に関するデータの閲覧やデータの入力が行われている。
【発明の概要】
【発明が解決しようとする課題】
【０００３】
しかしながら、従来技術では、医師や看護師等の医療従事者が携帯情報端末で患者に関するデータの閲覧や入力を行う際に、予め登録された複数の患者の中からデータの閲覧や入力を行う患者を選び出す必要があり、業務効率が悪かった。
【課題を解決するための手段】
【０００４】
上述した課題を解決するために、実施形態の医療支援システムは、医療従事者により携帯される端末装置と、前記端末装置と通信可能なサーバ装置とを備えた医療支援システムであって、前記端末装置は、前記サーバ装置に対して患者に関する患者情報を要求するデータ要求手段と、要求に応じて前記サーバ装置から提供された患者情報を表示する表示手段とを備え、前記サーバ装置は、前記患者情報の要求があった端末装置との間の通信をもとに当該端末装置の位置を検出する位置検出手段と、患者ごとに、当該患者の位置を示す位置情報と、前記患者に関する患者情報とを記憶する記憶手段と、前記検出された端末装置の位置をもとに、前記記憶された位置情報を参照して前記端末装置の位置に対応した患者の特定を行う患者特定手段と、前記特定された患者の患者情報を前記記憶手段より読み出して前記端末装置に提供するデータ提供手段とを備える。
【０００５】
実施形態のサーバ装置は、医療従事者により携帯される端末装置との間の通信をもとに当該端末装置の位置を検出する位置検出手段と、患者ごとに、当該患者の位置を示す位置情報と、前記患者に関する患者情報とを記憶する記憶手段と、前記検出された端末装置の位置をもとに、前記記憶された位置情報を参照して前記端末装置の位置に対応した患者の特定を行う患者特定手段と、前記特定された患者の患者情報を前記記憶手段より読み出して前記端末装置に提供するデータ提供手段とを備える。
【図面の簡単な説明】
【０００６】
【図１】図１は、実施形態にかかる医療支援システムの全体構成を概略的に示す図である。
【図２】図２は、端末装置を示す正面図である。
【図３】図３は、端末装置のハードウエア構成を例示するブロック図である。
【図４】図４は、サーバ装置のハードウエア構成を例示するブロック図である。
【図５】図５は、認証用リポジトリのデータ構成の一例を示す概念図である。
【図６】図６は、電子カルテリポジトリのデータ構成の一例を示す概念図である。
【図７】図７は、患者リポジトリのデータ構成の一例を示す概念図である。
【図８】図８は、医療支援システムの動作の一例を示すシーケンス図である。
【図９】図９は、表示部の表示例を示す概念図である。
【図１０】図１０は、表示部の表示例を示す概念図である。
【発明を実施するための形態】
【０００７】
以下、添付図面を参照して、医療支援システム及びサーバ装置の実施形態を詳細に説明する。なお、以下に説明する実施形態は、医療支援システム及びサーバ装置の一実施形態であって、その構成や仕様等を限定するものではない。
【０００８】
図１は、実施形態にかかる医療支援システム１の全体構成を概略的に示す図である。図１に示すように、医療支援システム１は、端末装置１０と、病院Ｈ内の端末装置１０とＬＡＮ（Local  Area  Network）等の通信ネットワーク３１を介して通信可能なサーバ装置２０とを有している。
【０００９】
端末装置１０は、病院Ｈ内の医療従事者である看護師Ｈ１により携帯される携帯型の情報通信端末である。看護師Ｈ１は、端末装置１０を用いてサーバ装置２０にアクセスすることで、患者Ｈ２の電子カルテ等の患者情報を参照することが可能となっている。なお、看護師Ｈ１は、医療従事者の一例であり、医師などであってもよいことは言うまでもないことである。サーバ装置２０は、Ｗｅｂサーバやアプリケーションサーバ、データベースサーバ等の機能を有した一又は複数のサーバ装置である。サーバ装置２０は、病院Ｈでの医療行為に必要な各種データを記憶・管理し、これらデータを端末装置１０が参照可能に提供する。
【００１０】
患者Ｈ２のいる病室Ｒには、通信ネットワーク３１に接続された中継装置３２が設置されている。中継装置３２は、例えば無線ＬＡＮなどのアクセスポイントであり、病室Ｒ内の端末装置１０と通信ネットワーク３１を介したサーバ装置２０との通信を中継する。中継装置３２は、病室Ｒごと、若しくは病床ごとに、病院Ｈ内において複数設置されている。中継装置３２にはユニークなネットワークアドレスが割り当てられているため、サーバ装置２０は、端末装置１０との通信接続を開始した際に、中継する中継装置３２のネットワークアドレスを確認することで、どの病室Ｒに端末装置１０が存在するか、すなわち端末装置１０の位置を検出できる。なお、中継装置３２を介した通信におけるネットワークアドレスを用いた端末装置１０の位置検出については、端末装置１０と通信接続した際に端末装置１０に対して割り当てるネットワークアドレスの設定を中継装置３２ごとに異ならせて行ってもよい。また、中継装置３２との通信による端末装置１０の位置検出については、予め位置が定められた複数の中継装置３２を用いた三角測量などで行ってもよい。
【００１１】
また、病室Ｒの所定の場所（例えば患者Ｈ２が使用する病床）などには、病室番号や病床番号等の位置を示す位置情報が記録された記録媒体としてのＩＣタグ４０が設置されている。ＩＣタグ４０に記録された位置情報は、ＲＦＩＤ（Radio  Frequency  IDentification）等の近距離の無線通信により端末装置１０により読み出される。端末装置１０がＩＣタグ４０より読み出した位置情報を中継装置３２を介した通信でサーバ装置２０に通知する。サーバ装置２０は、この端末装置１０からの通知された位置情報をもとに、端末装置１０の位置を検出してもよい。なお、本実施形態では、位置情報を記録する記録媒体としてＲＦＩＤにより読み取りが可能なＩＣタグ４０を例示するが、この記録媒体は、バーコードやＱＲコード（登録商標）等、所定のデータ量の位置情報が記録可能な媒体であればいずれであってもよい。例えば、バーコードやＱＲコードを用いる場合は、サーバ装置２０が光学スキャナを備えることで実現できる。
【００１２】
図２は、端末装置１０を示す正面図である。図２に示すように、端末装置１０は、左ユニット１０２と右ユニット１０３とを有する。左ユニット１０２と右ユニット１０３とは、ヒンジ１０４によって回動開閉可能に連結されている。
【００１３】
左ユニット１０２の筐体１０２ａには、表示器１２１が設けられている。表示器１２１は、例えば液晶表示器である。表示器１２１の表示面には、タッチパネル１２２が積層して取り付けられている。タッチパネル１２２の下段側（図２中下側）の部分には、このタッチパネル１２２に重ねられてキーシート１２３が設けられている。キーシート１２３は、数字を表示するテンキー１２３ａ、上下の矢印を表示する矢印キー１２３ｂ、および「送信」と表示された送信キー１２３ｄ等を含む。表示器１２１の上段側（図２中上側）の部分には、音声入力を受け付けるマイク１４１が設けられている。
【００１４】
右ユニット１０３の筐体１０３ａには、複数個のキーを有するキーボード１３１が設けられている。キーは、「体温」、「血圧」、「脈拍」、「閲覧」、「記録」等の操作メニューを表示する文字が印刷された複数個のメニューキー１３１ａ、「Ｅｎｔｅｒ」という文字が印刷されたエンターキー１３１ｅ等である。
【００１５】
図３は、端末装置１０のハードウエア構成を例示するブロック図である。図３に示すように、端末装置１０は、情報処理を実行するマイクロコンピュータとして、ＣＰＵ（Central  Processing  Unit）１１、ＲＯＭ（Read  Only  Memory）１２及びＲＡＭ（Random  Access  Memory）１３を備えている。
【００１６】
ＣＰＵ１１は、ＲＯＭ１２や後述する記憶部１６に記憶された各種プログラムを実行することにより、端末装置１０を統括的に制御する。ＲＯＭ１２は、基本動作を行うためのプログラムを記憶している。ＲＡＭ１３は、端末装置１０の主記憶装置であって、ＣＰＵ１１のワークエリアとして機能する。
【００１７】
また、ＣＰＵ１１には、各種の入出力回路（図示せず）を介して、入力部１４及び表示部１５が接続されている。入力部１４は、タッチパネル１２２、キーボード１３１、マイク１４１等の入力デバイスであって、患者Ｈ２が操作した操作内容やマイク１４１により入力された音声をＣＰＵ１１に出力する。表示部１５は、表示器１２１等の表示デバイスであって、ＣＰＵ１１の指示に従い各種の情報を表示する。なお、入力部１４では、表示器１２１に積層して取り付けられたタッチパネル１２２の構成とすることで、表示部１５と協働して操作内容を受け付ける形態としてもよい。
【００１８】
また、ＣＰＵ１１には、各種の入出力回路（図示せず）を介して、記憶部１６、通信Ｉ／Ｆ１７及び読取部１８が接続されている。記憶部１６は、ＨＤＤ（Hard  Disk  Drive）やフラッシュメモリ等の記憶媒体であり、Ｗｅｂブラウザ等の各種プログラムやファイルを記憶している。通信Ｉ／Ｆ１７は、中継装置３２を介したサーバ装置２０との間のデータ通信を行うためのインタフェースである。ＣＰＵ１１は、この通信Ｉ／Ｆ１７を制御し、サーバ装置２０との間で、所定の通信プロトコルに従って種々のデータを送受信する。読取部１８は、ＲＦＩＤ等の近距離の無線通信により、ＩＣタグ４０に記録されたデータを読み取る読取装置である。なお、図示しないが、端末装置１０は、ＲＴＣ（Real  Time  Clock）等の計時装置を具備し、ＣＰＵ１１は、この計時装置が計時する時刻情報に基づいて、現在日時（年月日及び時刻）を取得できるものとする。
【００１９】
次に、端末装置１０の機能構成について説明する。図３に示すように、端末装置１０のＣＰＵ１１は、ＲＯＭ１２や記憶部１６に記憶されたプログラムとの協働により、通信制御部１１１、電子カルテ取得部１１２、電子カルテ表示部１１３及び看護記録受付部１１４を実現させる。
【００２０】
通信制御部１１１は、通信Ｉ／Ｆ１７を制御し、サーバ装置２０との間でデータの送受信を行う機能部である。通信制御部１１１は、サーバ装置２０へのアクセスに際し、入力部１４を介し自己の装置のユーザから入力された看護師ＩＤ及びパスワードの組を、接続情報としてサーバ装置２０に送信する。サーバ装置２０は、通信制御部１１１より送信された接続情報をもとに認証されたユーザに対して、データの送受信を行う。
【００２１】
電子カルテ取得部１１２は、電子カルテ等の患者に関する患者情報（以下、電子カルテとする）を要求する入力部１４によるユーザ（看護師Ｈ１）の操作に応じて、通信制御部１１１によるサーバ装置２０への接続を行い、接続したサーバ装置２０に対して電子カルテを要求する。具体的には、電子カルテ取得部１１２は、通信制御部１１１により通信接続されたサーバ装置２０に対して、電子カルテを要求するコマンドを送信する。ここで、読取部１８によりＩＣタグ４０の読み取りがあった場合、電子カルテ取得部１１２は、電子カルテを要求するコマンドとともに、ＩＣタグ４０より読み取った位置情報もサーバ装置２０に送信する。
【００２２】
電子カルテ表示部１１３は、電子カルテ取得部１１２による要求に応じてサーバ装置２０より提供された電子カルテを、表示部１５に表示する。具体的には、電子カルテ表示部１１３は、電子カルテを要求するコマンドに対応してサーバ装置２０より送信された電子カルテを通信制御部１１１より受信し、受信した電子カルテを表示部１５の表示器１２１に表示する。
【００２３】
看護記録受付部１１４は、サーバ装置２０より提供されて電子カルテ表示部１１３により表示部１５に表示している電子カルテへのデータ入力、例えば患者Ｈ２へ行なった看護行為を記録する看護記録を、入力部１４より受け付ける。看護記録受付部１１４が受け付けた看護記録等のデータ入力は、通信制御部１１１によりサーバ装置２０へ送信される。なお、電子カルテへのデータ入力は、患者Ｈ２へ行なった看護行為を記録する看護記録の他に、患者Ｈ２への投薬状況を記録する投薬記録や、患者Ｈ２の体温、血圧などの観察結果を記録する観察記録などであってもよいことは、言うまでもないことである。
【００２４】
また、看護記録受付部１１４のデータ入力は、入力部１４のタッチパネル１２２における操作入力及び入力部１４のマイク１４１における音声入力であってよい。具体的には、タッチパネル１２２における操作入力が行われた場合は、タッチパネル１２２上のタッチ位置に対応したキー入力をデータ入力として受け付ける。また、タッチパネル１２２上を指でタッチした状態でスライドした場合は、そのスライドに応じた軌跡を画像として受け付ける。この場合は、ユーザによるタッチパネル１２２上の手書き入力が、そのままデータとして入力され、電子カルテに記録されることとなる。また、マイク１４１における音声入力が行われた場合は、公知の音声認識技術を用いて音声認識を行い、認識した音声に対応する単語へ変換した後に、変換した単語をデータ入力として受け付ける。この場合は、ユーザの音声に対応した単語が、電子カルテに記録されることとなる。
【００２５】
図４は、サーバ装置２０のハードウエア構成を例示するブロック図である。図４に示すように、サーバ装置２０は、情報処理を実行するマイクロコンピュータとして、ＣＰＵ２１、ＲＯＭ２２及びＲＡＭ２３を備えている。
【００２６】
ＣＰＵ２１は、ＲＯＭ２２や後述する記憶部２６に記憶された各種プログラムを実行することにより、サーバ装置２０を統括的に制御する。ＲＯＭ２２は、基本動作を行うためのプログラムを記憶している。ＲＡＭ２３は、サーバ装置２０の主記憶装置であって、ＣＰＵ２１のワークエリアとして機能する。
【００２７】
また、ＣＰＵ２１には、各種の入出力回路（図示せず）を介して、入力部２４及び表示部２５が接続されている。入力部２４は、キーボードやポインティングデバイス等の入力デバイスであって、ユーザが操作した操作内容をＣＰＵ２１に通知する。表示部２５は、ＬＣＤ等の表示デバイスであって、ＣＰＵ２１の指示に従い各種の情報を表示する。
【００２８】
また、ＣＰＵ２１には、各種の入出力回路（図示せず）を介して、記憶部２６及び通信Ｉ／Ｆ２７が接続されている。記憶部２６は、ＨＤＤやフラッシュメモリ等の記憶媒体であって、後述する各機能部を実現するための各種プログラムやファイルを記憶している。記憶部２６に記憶されるファイルとしては、例えば、医療従事者である看護師Ｈ１の看護師ＩＤとパスワードとの組を記憶・管理する認証用リポジトリ２６１、各患者Ｈ２の電子カルテを記憶・管理する電子カルテリポジトリ２６２、患者Ｈ２の位置、すなわち患者Ｈ２の所在（病室Ｒ・病床）を記憶・管理する患者リポジトリ２６３等が挙げられる。
【００２９】
図５は、認証用リポジトリ２６１のデータ構成の一例を示す概念図である。図５に示すように、認証用リポジトリ２６１は、各看護師Ｈ１を識別する識別情報としての看護師ＩＤと、パスワードとを関連付けて格納している。ここで、看護師ＩＤとパスワードとの組はサーバ装置２０にアクセスする際に必要なる認証情報であって、サーバ装置２０は、端末装置１０から送信される看護師ＩＤとパスワードとの組が認証用リポジトリ２６１に登録された何れかの認証情報と一致した場合にアクセスを許可する。なお、看護師ＩＤとパスワードとは、各看護師Ｈ１に予め割り当てられているものとする。
【００３０】
図６は、電子カルテリポジトリ２６２のデータ構成の一例を示す概念図である。図６に示すように、電子カルテリポジトリ２６２は、病院Ｈの各患者Ｈ２を識別する患者ＩＤと、この患者ＩＤの患者情報としての電子カルテとを関連付けて格納している。
【００３１】
図７は、患者リポジトリ２６３のデータ構成の一例を示す概念図である。図７に示すように、患者リポジトリ２６３は、病院Ｈに入院する患者Ｈ２の患者ＩＤと、その患者Ｈ２の病室Ｒを識別する病室番号と、この患者Ｈ２の病床を識別する病床番号とを関連付けて格納している。
【００３２】
図４に戻り、通信Ｉ／Ｆ２７は、端末装置１０とデータ通信を行うためのインタフェースである。ＣＰＵ２１は、通信Ｉ／Ｆ２７を用いて、端末装置１０との間で種々のデータを送受信する。なお、図示しないが、サーバ装置２０は、ＲＴＣ等の計時装置を具備し、ＣＰＵ２１は、この計時装置が計時する時刻情報に基づいて、現在日時（年月日及び時刻）を取得するものとする。
【００３３】
次に、サーバ装置２０の機能構成について説明する。図４に示すように、サーバ装置２０のＣＰＵ２１は、ＲＯＭ２２や記憶部２６に記憶されたプログラムとの協働により、通信制御部２１１、位置検出部２１２、患者特定部２１３、電子カルテ提供部２１４及び記録部２１５を実現させる。
【００３４】
通信制御部２１１は、通信Ｉ／Ｆ２７を制御し、端末装置１０とのデータの送受信を行う機能部である。具体的に、通信制御部２１１は、端末装置１０から送信された接続情報に含まれる看護師ＩＤ及びパスワードの組と、認証用リポジトリ２６１に登録された各認証情報（看護師ＩＤ及びパスワードの組）とを照合し、一致するものが存在するか否かを判定する。一致した場合、通信制御部２１１は、その看護師ＩＤの看護師Ｈ１が端末装置１０の操作者と判断し、クッキー等の公知の技術を用いることで、この看護師ＩＤを送信した端末装置１０との通信接続を確立する。なお、接続情報が認証用リポジトリ２６１の何れの認証情報とも一致しなかった場合、通信制御部２１１は不正なアクセスと判定し、アクセスを拒否する。
【００３５】
位置検出部２１２は、通信制御部２１１により通信接続が確立され、電子カルテの要求があった端末装置１０との間の通信をもとに、その端末装置１０の位置を検出する。具体的には、位置検出部２１２は、前述した中継装置３２のネットワークアドレスや、中継装置３２により割り当てられた端末装置１０のネットワークアドレス、予め位置が定められた複数の中継装置３２を用いた三角測量などをもとに、端末装置１０の位置を検出する。また、位置検出部２１２は、ＩＣタグ４０の読み取りによる位置情報が端末装置１０から通知された場合は、その通知された位置情報を端末装置１０の位置として検出する。
【００３６】
患者特定部２１３は、位置検出部２１２により検出された端末装置１０の位置をもとに、患者リポジトリ２６３に記憶された患者Ｈ２の位置を示す位置情報（病室番号、病床番号）を参照して端末装置１０の位置に対応した患者Ｈ２を特定する。具体的には、患者特定部２１３は、位置検出部２１２による端末装置１０の位置と、患者リポジトリ２６３に記憶されている患者Ｈ２の位置情報とが一致する患者Ｈ２の患者ＩＤを特定する。
【００３７】
電子カルテ提供部２１４は、患者特定部２１３により特定された患者Ｈ２の電子カルテを電子カルテリポジトリ２６２より読み出して、通信制御部２１１により端末装置１０に提供する。具体的には、電子カルテ提供部２１４は、患者特定部２１３により特定された患者ＩＤをもとに、電子カルテリポジトリ２６２を参照して読み出した電子カルテを通信制御部２１１により端末装置１０へ送信する。
【００３８】
記録部２１５は、端末装置１０の看護記録受付部１１４により受け付けられた電子カルテへのデータ入力、例えば看護記録等へのデータ入力後に通信制御部１１１より送信された電子カルテを、患者特定部２１３により特定されて端末装置１０へ送信された電子カルテへ記録する。具体的には、記録部２１５は、端末装置１０より看護記録等へのデータ入力が行われた電子カルテを通信制御部２１１により受信する。次いで、記録部２１５は、通信制御部２１１により受信した電子カルテを、患者特定部２１３により特定された患者ＩＤの電子カルテとして、電子カルテリポジトリ２６２に記録する。これにより、サーバ装置２０は、患者特定部２１３により特定して端末装置１０へ送信した電子カルテに看護記録等へのデータ入力が行われた場合、そのデータ入力の内容を電子カルテリポジトリ２６２に記録された電子カルテに反映することができる。
【００３９】
ここで、端末装置１０とサーバ装置２０とによる医療支援システム１の動作の詳細について説明する。図８は、医療支援システム１の動作の一例を示すシーケンス図である。
【００４０】
図８に示すように、端末装置１０の通信制御部１１１は、看護師ＩＤ及びパスワードの組を入力部１４を介して受け付け、受け付けた看護師ＩＤ及びパスワードの組を接続情報としてサーバ装置２０に送信する（Ｓ１０）。サーバ装置２０の通信制御部２１１は、端末装置１０から送信された接続情報に含まれる看護師ＩＤ及びパスワードの組と、認証用リポジトリ２６１に登録された各認証情報（看護師ＩＤ及びパスワードの組）とを照合して、医療従事者である看護師Ｈ１の認証を行う（Ｓ２０）。
【００４１】
認証の後、端末装置１０の電子カルテ取得部１１２は、電子カルテを要求する入力部１４によるユーザの操作に応じて、接続したサーバ装置２０に対して電子カルテを要求する（Ｓ１１）。サーバ装置２０の位置検出部２１２では、電子カルテの要求があった端末装置１０との間の通信をもとに、その端末装置１０の位置検出、又は端末装置１０がＩＣタグ４０から読み取った病室番号や病床番号を取得する（Ｓ２１）。
【００４２】
次いで、サーバ装置２０はの患者特定部２１３は、位置検出部２１２により検出された端末装置１０の位置をもとに、患者リポジトリ２６３を参照して端末装置１０の位置に対応した患者Ｈ２を特定する（Ｓ２２）。次いで、サーバ装置２０の電子カルテ提供部２１４は、患者特定部２１３により特定された患者Ｈ２の電子カルテを電子カルテリポジトリ２６２より読み出して、通信制御部２１１により端末装置１０に送信する（Ｓ２３）。
【００４３】
端末装置１０の通信制御部１１１は、サーバ装置２０より送信された電子カルテを受信する（Ｓ１２）。次いで、端末装置１０の電子カルテ表示部１１３は、通信制御部１１１が受信した電子カルテを表示部１５に表示する（Ｓ１３）。
【００４４】
図９は、表示部１５の表示例を示す概念図である。図９に示すように、表示部１５の表示器１２１には、端末装置１０の位置に対応した患者Ｈ２の電子カルテが表示される。表示器１２１に表示される電子カルテには、電子カルテの内容を表示させるためのタグＧ１と、電子カルテへの記録を行うための画面を表示させるためのタグＧ２が含まれている。ユーザは、タグＧ１、タグＧ２を入力部１４により選択することで、電子カルテの閲覧・記録を行うことができる。以上のように、ユーザ（看護師Ｈ１）は、患者Ｈ２を指定するための操作入力を行うことなく、端末装置１０の位置に対応した患者Ｈ２の電子カルテを閲覧できることから、医療・看護行為を効率よく行うことができる。
【００４５】
次いで、端末装置１０の看護記録受付部１１４は、電子カルテの看護記録等へのデータ入力を受け付ける（Ｓ１４）。図１０は、表示部１５の表示例を示す概念図である。図１０に示すように、電子カルテの看護記録等へ記録する場合、ユーザは、タグＧ２を選択して看護記録を行う画面を表示させる。次いで、ユーザは、入力部１４による操作入力を行うことで、体温、血圧等の看護記録のデータ入力を行う。このとき、タッチパネル１２２のタッチ操作により、「はき気がする」などの手書き文字を入力してもよい。また、上述した音声認識により文字（単語）や、体温、血圧等の数値を入力してもよい。
【００４６】
次いで、端末装置１０の通信制御部１１１は、看護記録受付部１１４が受け付けた看護記録等のデータ入力が行われた電子カルテを、サーバ装置２０へ送信する（Ｓ１５）。サーバ装置２０の通信制御部２１１は、端末装置１０より送信された電子カルテを受信する（Ｓ２４）。次いで、サーバ装置２０の記録部２１５は、受信した電子カルテの内容を、Ｓ２２において特定した患者Ｈ２の電子カルテへ記録する（Ｓ２５）。
【００４７】
なお、本実施形態の端末装置１０、サーバ装置２０で実行されるプログラムは、ＲＯＭ等に予め組み込まれて提供される。本実施形態の端末装置１０、サーバ装置２０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４８】
さらに、本実施形態の端末装置１０、サーバ装置２０で実行されるプログラムを、インターネット等のネットワークに接続されたコンピュータ上に格納し、ネットワーク経由でダウンロードさせることにより提供するように構成しても良い。また、本実施形態の端末装置１０、サーバ装置２０で実行されるプログラムをインターネット等のネットワーク経由で提供または配布するように構成しても良い。
【００４９】
本実施形態の端末装置１０、サーバ装置２０で実行されるプログラムは、上述した機能部を含むモジュール構成となっており、実際のハードウェアとしてはＣＰＵ（プロセッサ）が上記ＲＯＭからプログラムを読み出して実行することにより上述した機能部が主記憶装置上にロードされ、主記憶装置上に生成されるようになっている。
【符号の説明】
【００５０】
１…医療支援システム、１０…端末装置、１１…ＣＰＵ、１２…ＲＯＭ、１３…ＲＡＭ、１４…入力部、１５…表示部、１６…記憶部、１７…通信Ｉ／Ｆ、１８…読取部、２０…サーバ装置、２１…ＣＰＵ、２２…ＲＯＭ、２３…ＲＡＭ、２４…入力部、２５…表示部、２６…記憶部、２７…通信Ｉ／Ｆ、３１…通信ネットワーク、３２…中継装置、４０…ＩＣタグ、１０２…左ユニット、１０２ａ…筐体、１０３…右ユニット、１０３ａ…筐体、１０４…ヒンジ、１１１…通信制御部、１１２…電子カルテ取得部、１１３…電子カルテ表示部、１１４…看護記録受付部、１２１…表示器、１２２…タッチパネル、１２３…キーシート、１２３ａ…テンキー、１２３ｂ…矢印キー、１２３ｄ…送信キー、１３１…キーボード、１３１ａ…メニューキー、１３１ｅ…エンターキー、１４１…マイク、２１１…通信制御部、２１２…位置検出部、２１３…患者特定部、２１４…電子カルテ提供部、２１５…記録部、２６１…認証用リポジトリ、２６２…電子カルテリポジトリ、２６３…患者リポジトリ、Ｇ１、Ｇ２…タグ、Ｈ…病院、Ｈ１…看護師、Ｈ２…患者、Ｒ…病室
【先行技術文献】
【特許文献】
【００５１】
【特許文献１】特開２０１０−４４６６６号公報
【図１】
2013054647.tif 000003
【図２】
2013054647.tif 000004
【図３】
2013054647.tif 000005
【図４】
2013054647.tif 000006
【図５】
2013054647.tif 000007
【図６】
2013054647.tif 000008
【図７】
2013054647.tif 000009
【図８】
2013054647.tif 000010
【図９】
2013054647.tif 000011
【図１０】
2013054647.tif 000012